(57)【要約】【課題】装身具を身に付ける部位に趣向をこらすことにより、身に付けた人の美観を向上させる。【解決手段】手の平接触部分２と手の甲接触部分４とを備えているため、装身具１を身に付ける部位を手の平および手の甲とすることができる。手の平および手の甲といった、これまで装身具１を付けることのなかった部位に装身具１を付けるため、装身具１を付けた人の美観を劇的に向上できる。また、接合部６ａは、人差し指の付け根と親指の付け根との間に配置されている。また、接合部６ｂは、小指の付け根と手首との間に配置されている。このため、手の平接触部分２が手の平を斜めに横断することとなる。よって、手の平および手の甲に装身具１を付けても、手の平を握り締めることができ、手の動作に支障をきたさず、便利である。【選択図】  図１
2004261335.tif 000002
【特許請求の範囲】
【請求項１】
手の平に接する手の平接触部分と、
手の甲に接する手の甲接触部分と、
前記手の平接触部分と前記手の甲接触部分との接合部の内の一方は、人差し指の付け根と親指の付け根との間に配置され、前記接合部の内の他方は、小指の付け根と手首との間に配置される、装身具。
【請求項２】
手の平を握ったときに、手の平においてほぼ動かない、手の平を横断する不動横断部位にほぼ配置された、手の平に接する手の平接触部分と、
手の甲に接する手の甲接触部分と、を備えた装身具。
【請求項３】
請求項１または２に記載の装身具であって、指に付ける指取付部分を備えた装身具。
【請求項４】
請求項３に記載の装身具であって、
前記指取付部分は、指の周囲を一周する指輪部を有する、装身具。
【請求項５】
請求項３に記載の装身具であって、
前記指取付部分に装飾材を取りつけた、装身具。
【請求項６】
請求項３に記載の装身具であって、
前記指取付部分は、
所定の指の表面における手の平側の面に接する第一部分と、
他の指の表面における手の甲側の面に接する第二部分と、
を有する、装身具。
【請求項７】
請求項６に記載の装身具であって、
前記第一部分あるいは前記第二部分に装飾材を取りつけた、装身具。
【請求項８】
請求項６に記載の装身具であって、
前記第一部分は、所定の指の表面における手の平の面の端部から他の端部に向かい、また前記端部へと折り返していく、装身具。
【請求項９】
請求項６に記載の装身具であって、
前記第二部分は、他の指の表面における手の甲の面の端部から他の端部に向かい、また前記端部へと折り返していく、装身具。
【請求項１０】
請求項１または２に記載の装身具であって、
前記手の甲接触部分に装飾材を取りつけた、装身具。
【請求項１１】
請求項１または２に記載の装身具であって、
前記手の甲接触部分が複数本の線状であり、
前記手の甲接触部分が手の甲の面の端部から他の端部に向かい、また前記端部へと折り返していく、装身具。
【請求項１２】
請求項１または２に記載の装身具であって、
前記手の平接触部分に装飾材を取りつけた、装身具。
【請求項１３】
請求項１または２に記載の装身具であって、
前記装身具を指先側から見たときの幅のほぼ１／４倍の直径を有する輪状部、を備えた装身具。
【請求項１４】
請求項１または２に記載の装身具であって、前記装身具を指先側から見たときの幅のほぼ１／４倍の幅を有する引掛け部分、を備えた装身具。
【発明の詳細な説明】
【０００１】
【発明の属する技術分野】
本発明は装身具に関する。
【０００２】
【従来の技術】
従来より、人間は装身具を身に付けることにより自らを飾る。例えば、指輪、ネックレス、ブレスレット、アンクレットを身に付け、自らを飾る。このような装身具は、形状に趣向をこらし、美観を向上させている（例えば、特許文献１を参照）。
【０００３】
【特許文献１】
特開２００１−７００１６号公報
【発明が解決しようとする課題】
そこで、本発明は、装身具を身に付けた人の美観を向上させることを課題とする。
【０００４】
【課題を解決するための手段】
請求項１に記載の発明は、手の平に接する手の平接触部分と、手の甲に接する手の甲接触部分と、手の平接触部分と手の甲接触部分との接合部の内の一方は、人差し指の付け根と親指の付け根との間に配置され、接合部の内の他方は、小指の付け根と手首との間に配置されるように構成される。
【０００５】
請求項２に記載の発明は、手の平を握ったときに、手の平においてほぼ動かない、手の平を横断する不動横断部位にほぼ配置された、手の平に接する手の平接触部分と、手の甲に接する手の甲接触部分とを備えるように構成される。
【０００６】
請求項３に記載の発明は、請求項１または２に記載の発明であって、指に付ける指取付部分を備えるように構成される。
【０００７】
請求項４に記載の発明は、請求項３に記載の発明であって、指取付部分は、指の周囲を一周する指輪部を有するように構成される。
【０００８】
請求項５に記載の発明は、請求項３に記載の発明であって、指取付部分に装飾材を取りつけたように構成される。
【０００９】
請求項６に記載の発明は、請求項３に記載の発明であって、指取付部分は、所定の指の表面における手の平側の面に接する第一部分と、他の指の表面における手の甲側の面に接する第二部分とを有するように構成される。
【００１０】
請求項７に記載の発明は、請求項６に記載の発明であって、第一部分あるいは第二部分に装飾材を取りつけたように構成される。
【００１１】
請求項８に記載の発明は、請求項６に記載の発明であって、第一部分は、所定の指の表面における手の平の面の端部から他の端部に向かい、また端部へと折り返していくように構成される。
【００１２】
請求項９に記載の発明は、請求項６に記載の発明であって、第二部分は、他の指の表面における手の甲の面の端部から他の端部に向かい、また端部へと折り返していくように構成される。
【００１３】
請求項１０に記載の発明は、請求項１または２に記載の発明であって、手の甲接触部分に装飾材を取りつけたように構成される。
【００１４】
請求項１１に記載の発明は、請求項１または２に記載の発明であって、手の甲接触部分が複数本の線状であり、手の甲接触部分が手の甲の面の端部から他の端部に向かい、また端部へと折り返していくように構成される。
【００１５】
請求項１２に記載の発明は、請求項１または２に記載の発明であって、手の平接触部分に装飾材を取りつけたように構成される。
【００１６】
請求項１３に記載の発明は、請求項１または２に記載の発明であって、装身具を指先側から見たときの幅のほぼ１／４倍の直径を有する輪状部を備えるように構成される。
【００１７】
請求項１４に記載の発明は、請求項１または２に記載の発明であって、装身具を指先側から見たときの幅のほぼ１／４倍の幅を有する引掛け部分を備えるように構成される。
【００１８】
【発明の実施の形態】
以下、本発明の実施の形態を図面を参照して説明する。
【００１９】
図１は、本発明の実施形態にかかる装身具１を左手２０に装着したときの手の甲側から見た図である。図２は、本発明の実施形態にかかる装身具１を左手２０に装着したときの手の平側から見た図である。なお、図１においては、装身具１の部分の内で手の平側にあるものは点線で図示している。また、図２においては、装身具１の部分の内で手の甲側にあるものは図示省略している。
【００２０】
当該実施形態において、装身具１は、左手２０に装着されているが、右手に装着してもよい。装身具１は、手の平接触部分２、手の甲接触部分４ａ、４ｂ、指輪部（輪状部）８、第一部分（引掛け部分）１０ａ、第二部分（引掛け部分）１０ｂ、装飾材１２、１４、１６ａ、ｂ、１８を備える。
【００２１】
手の平接触部分２は、図２に示すように手の平に接する。手の平接触部分２は手の甲接触部分４ａと接合部６ａにおいて接合する。手の平接触部分２は手の甲接触部分４ｂと接合部６ｂにおいて接合する。図２を参照して、接合部６ａは、人差し指の付け根と親指の付け根との間に配置されている。また、接合部６ｂは、小指の付け根と手首との間に配置されている。ここで、手の平接触部分２は、図２の例でいえば、接合部６ａと接合部６ｂとの間を右下がりの曲線を描いて結んでいる。図２の例では、手の平接触部分２は、人間の手相において顕著に表れる線である、頭脳線２４、生命線２６、感情線２８の内、頭脳線２４にほぼ沿ったものとなる。
【００２２】
また、人間の手の平には、手の平を握ったときに、手の平においてほぼ動かない、手の平を横断する部位がある。手の平を握ると、指を手の平の方に折り曲げていくことになる。そうすると、親指の付け根の辺り（手首にまで達する広めの部位）および親指以外の四本の指の付け根の辺りは動くが、それ以外の部位はほぼ動かない。この動かない部位を不動横断部位２２（図３参照）という。不動横断部位２２は、手の平の端部（親指側）２１ａにおいては狭いが、手の平の端部（小指側）２１ｂに向かって手の平を横断するにつれて広くなっていく。図３に示すように、手の平接触部分２は、人差し指付近を除き、ほぼ不動横断部位２２に配置されているといえる。
【００２３】
手の平接触部分２には、装飾材１８を付けることも可能である。装飾材１８は、例えば、宝石、貴金属、真珠に装飾を施したものである。
【００２４】
手の甲接触部分４ａ、４ｂは、手の甲に接する。手の甲接触部分４ａ、４ｂはそれぞれ線状である。手の甲接触部分４ａは、接合部６ａを起点とし、手の平の端部（親指側）２１ａから手の平の端部（小指側）２１ｂに向かい、そして、手の平の端部（親指側）２１ａへ折り返していき、接合部６ａに戻るループ形状をなしている。手の甲接触部分４ｂは、接合部６ｂを起点とし、手の平の端部（小指側）２１ｂから手の平の端部（親指側）２１ａに向かい、そして、手の平の端部（小指側）２１ｂへ折り返していく。ただし、ループ形状をなさず、小指の付け根へと折り返していく。
【００２５】
手の甲接触部分４ａには、装飾材１６ａを付けることが好ましい。手の甲接触部分４ｂには、装飾材１６ｂを付けることが好ましい。装飾材１６ａ、１６ｂは、例えば、宝石、貴金属、真珠に装飾を施したものである。なお、装飾材１６ａ、１６ｂは、図１に示すように、一個だけ付けてもよいが、複数個取りつけてもよい。さらに、図７に示すように、隣り合う装飾材１６ａ、１６ｂどうしをすきまなく取り付け、装飾材１６ａ（１６ｂ）により手の甲接触部分４ａ（４ｂ）を形成するようにすることが好ましい。
【００２６】
指輪部（輪状部）８は、装身具１を指に付けるためのものである。指輪部８は、人差し指にはめられており、人差し指の周囲を一周している。なお、指輪部８は人差し指に対して傾いている。また、指輪部８は、接合部６ａにおいて、手の甲接触部分４ａおよび手の平接触部分２と接合している。図５（ａ）に示すように、指輪部８の手の甲側に装飾材１４を付けることが好ましい。装飾材１４は、例えば、宝石、貴金属、真珠に装飾を施したものである。ここで、図５（ｂ）に示すように、装飾材１４どうしをすきまなく取り付けることが好ましい。
【００２７】
指輪部（輪状部）８の形状について、図６を参照して説明する。図６は、装身具１を指先側から見たときの図である。ただし、手２０は図示省略している。指輪部８は、人差し指に対して傾いているため、指先から見れば楕円に見える。しかし、指輪部８は円形であり、直径ｄは縦にあらわれる。また、装身具１の幅はＬである。このとき、Ｌ≒４ｄである。Ｌは親指以外の指四本分の太さに対応し、ｄは指一本分（人差し指）の太さに対応しているからである。
【００２８】
第一部分（引掛け部分）１０ａは、小指における手の平側の面に接する。第一部分１０ａは、手の甲接触部分４ｂの接合部６ｂではない方の端部に接合している。第一部分１０ａは、装身具１を、小指に引掛けるためのものである。図６を参照して、第一部分１０ａの幅Ｗは、ほぼＬ／４である。Ｌは親指以外の指四本分の太さに対応し、Ｗは指一本分（小指）の太さに対応しているからである。
【００２９】
第二部分（引掛け部分）１０ｂは、薬指における手の甲側の面に接する。第二部分１０ｂは、第一部分１０ａの端部（手の甲接触部分４ｂと接合していない方）に接合している。第二部分１０ｂは、装身具１を、薬指に引掛けるためのものである。図６を参照して、第二部分１０ｂの幅Ｗは、ほぼＬ／４である。Ｌは親指以外の指四本分の太さに対応し、Ｗは指一本分（薬指）の太さに対応しているからである。
【００３０】
ここで、図４（ａ）に示すように、第二部分１０ｂは、薬指の手の甲の面の端部（小指側）２８ａから薬指の手の甲の面の端部（中指側）２８ｂに向かい、そして、薬指の手の甲の面の端部（小指側）２８ａへ折り返していく。しかも、第二部分１０ｂの手の甲側に装飾材１２を付けることが好ましい。装飾材１２は、例えば、宝石、貴金属、真珠に装飾を施したものである。さらに、図４（ｂ）に示すように、装飾材１２どうしをすきまなく取り付けることが好ましい。
【００３１】
なお、第一部分１０ａに装飾材を取り付けることも可能である。また、第一部分１０ａは、小指の手の平の面の一方の端部（手の平の端部（小指側）２１ｂ側）から小指の手の平の面の他方の端部（薬指側）に向かい、そして、小指の手の平の面の一方の端部（手の平の端部（小指側）２１ｂ側）へ折り返していくようにしてもよい。
【００３２】
また、これまで、手の平接触部分２が接合部６ａ、６ｂを連結する一本の線状である形態を説明してきたが、手の平接触部分２の形状は必ずしもそれに限定されない。例えば、図８に示すように、手の甲接触部分４が一本の線状であったとする。このような場合、図９に示すように、手の平接触部分２ａ、２ｂが接合部６ａ、６ｂからわずかに手の平側に延びている程度でも、装身具１は充分に手２０に取り付けられる。すなわち、手の平接触部分２が二本に分かれていてもよい。あるいは、手の甲接触部分４が二本に分かれていても、その二本の手の甲接触部分４が共に指輪部８に接合していれば、手の平接触部分２が二本に分かれていてもよい。
【００３３】
本発明の実施形態によれば、手の平接触部分２と手の甲接触部分４とを備えているため、装身具１を身に付ける部位を手の平および手の甲とすることができる。手の平および手の甲といった、これまで装身具１を付けることのなかった部位に装身具１を付けるため、装身具１を付けた人の美観を劇的に向上できる。
【００３４】
また、接合部６ａは、人差し指の付け根と親指の付け根との間に配置されている。また、接合部６ｂは、小指の付け根と手首との間に配置されている。このため、手の平接触部分２が手の平を斜めに横断することとなる。よって、手の平および手の甲に装身具１を付けても、手の平を握り締めることができ、手の動作に支障をきたさず、便利である。
【００３５】
しかも、手の平を握ったときに、手の平においてほぼ動かない、手の平を横断する不動横断部位２２（例えば、手相でいう頭脳線２４の付近）にほぼ手の平接触部分２を配置する。これにより、手の平および手の甲に装身具１を付けても、手の平を握り締めることができ、手の動作に支障をきたさず、便利である。
【００３６】
さらに、指輪部８により美観が向上し、かつ、手にしっかりと装身具１を付けることができる。
【００３７】
また、第一部分１０ａおよび第二部分１０ｂにより美観が向上し、かつ、小指および薬指に引掛けることができるため、手にしっかりと付けることができる。
【００３８】
さらに、第一部分１０ａまたは第二部分１０ｂを折り返すことにより美観が向上する。折り返しても、第一部分１０ａまたは第二部分１０ｂにより小指および薬指に引掛けるので、手にしっかりと付けることができる。
【００３９】
しかも、手の甲接触部分４ａ、４ｂの折り返しにより美観が向上する。
【００４０】
さらに、装身具１の幅Ｌは、指輪部８の直径ｄのほぼ４倍であるため、指輪部８を指にはめやすい。
【００４１】
しかも、装身具１の幅Ｌは、第一部分１０ａまたは第二部分１０ｂの幅Ｗのほぼ４倍であるため、第一部分１０ａまたは第二部分１０ｂを指に引掛けやすい。
【図面の簡単な説明】
【図１】本発明の実施形態にかかる装身具１を左手２０に装着したときの手の甲側から見た図である。
【図２】本発明の実施形態にかかる装身具１を左手２０に装着したときの手の平側から見た図である。
【図３】手の平接触部分２と不動横断部位２２とを示す図である。
【図４】第二部分１０ｂ付近の図（図４（ａ））および装飾材１２の好ましい取り付け法を示す図（図４（ｂ））である。
【図５】指輪部８付近の図（図５（ａ））および装飾材１４の好ましい取り付け法を示す図（図５（ｂ））である。
【図６】装身具１を指先側から見たときの図である。
【図７】装飾材１６ａ、１６ｂの好ましい取り付け法を示す図である。
【図８】本発明の実施形態の変形例を示す図（手の甲側）である。
【図９】本発明の実施形態の変形例を示す図（手の平側）である。
【符号の説明】
１  装身具
２  手の平接触部分
４ａ、４ｂ  手の甲接触部分
６ａ、６ｂ  接合部
８  指輪部（輪状部）
１０ａ  第一部分（引掛け部分）
１０ｂ  第二部分（引掛け部分）
１２、１４、１６ａ、ｂ、１８  装飾材
２０  左手
２２  不動横断部位
２４  頭脳線
【図１】
2004261335.tif 000003
【図２】
2004261335.tif 000004
【図３】
2004261335.tif 000005
【図４】
2004261335.tif 000006
【図５】
2004261335.tif 000007
【図６】
2004261335.tif 000008
【図７】
2004261335.tif 000009
【図８】
2004261335.tif 000010
【図９】
2004261335.tif 000011